(57)【特許請求の範囲】
【請求項１】
原稿台と、
前記原稿台の周囲に概ねＬ字型に配置される第一ガイド部及び第二ガイド部と、
前記原稿台の盤面上の一部にある読み取り領域を照射する透過原稿用光源と、
前記透過原稿用光源に照射された原稿画像の透過光像の濃淡に応じた画像信号を出力する撮像部と、
前記原稿台の盤面に載置される板状の定型シートホルダとを備え、
前記定型シートホルダは、
前記第一ガイド部及び前記第二ガイド部に当接可能な第一位置決め部と、
前記第一位置決め部の対角に形成され前記第一ガイド部及び前記第二ガイド部に当接可能な第二位置決め部と、
前記第一位置決め部が前記第一ガイド部及び前記第二ガイド部に当接しているとき前記読み取り領域に位置し、前記第二位置決め部が前記第一ガイド部及び前記第二ガイド部に当接しているとき前記読み取り領域外に位置する第一開口部と、
前記第一開口部の周囲に設けられ第一の定型の透過原稿シートを前記第一開口部に保持する第一保持部と、
前記第二位置決め部が前記第一ガイド部及び前記第二ガイド部に当接しているとき前記読み取り領域に位置し、前記第一位置決め部が前記第一ガイド部及び前記第二ガイド部に当接しているとき前記読み取り領域外に位置し、前記第一開口部と異なる形状を有する第二開口部と、
前記第二開口部の周囲に設けられ第二の定型の透過原稿シートを前記第二開口部に保持する第二保持部とを有することを特徴とする画像読み取り装置。
【請求項２】
前記撮像部は、リニアセンサと、主走査線を前記主走査線に垂直な方向に移動させる副走査駆動部とを有し、
前記定型シートホルダは、前記第一開口部と副走査方向に並ぶ切り欠き又は開口部と、前記第二開口部と副走査方向に並ぶ切り欠き又は開口部を有することを特徴とする請求項１記載の画像読み取り装置。
【請求項３】
前記撮像部は、前記リニアセンサに前記透過原稿用光源に照射された原稿画像の主走査線上の透過光像を結像するレンズを有し、
前記読み取り領域は主走査線の中央部軌跡の全部又は一部であることを特徴とする請求項２記載の画像読み取り装置。
【発明の詳細な説明】
【０００１】
【発明の属する技術分野】
本発明は、読み取り領域に定型の原稿シートを保持するための定型シートホルダ及び画像読み取り装置に関する。
【０００２】
【従来の技術】
従来、イメージスキャナ、複写機、ファクシミリ等の画像読み取り装置にあって、写真フィルム等に記録された透過原稿を読み取る機能を有するものが知られている。フラットベッド型イメージスキャナ等、原稿台に原稿シートを載置する画像読み取り装置（以下、フラットベッド型画像読み取り装置という。）においては、写真フィルム等の透過原稿が記録された透過原稿シートの大きさに対して原稿台がかなり広いため、原稿台に複数の透過原稿シートを載置して一度に複数の透過原稿を読み取ることが可能である。フラットベッド型画像読み取り装置において写真フィルム等の定型の透過原稿シートを原稿台の盤面に位置決めする際には一般に透過原稿シートを保持するための所謂フィルムホルダが用いられる。図２（Ａ）に従来のフィルムホルダ９０を示した。開口部９２は４行形成され、１行につき１枚の３５ｍｍストリップフィルムを保持する。開口部９２は仕切９３により２列に区分されている。開口部９１はシェーディング補正のための白基準データを検出するために形成されている。
【０００３】
【発明が解決しようとする課題】
フラットベッド型画像読み取り装置では、反射原稿については原稿台のほぼ全域を読み取り領域としているのに対し、透過原稿については光源の照射範囲を限定して読み取り領域を原稿台の一部に限定したものが知られている。このようなフラットベッド型画像読み取り装置において使用されるフィルムホルダでは、読み取り領域の広さに合わせ、図２（Ｂ）に示すフィルムホルダ９４のように、一般に透過原稿シートを保持する数が少なくなっており、また、保持する透過原稿の種類が１つのフィルムホルダにつき１種類に限定されている。
【０００４】
したがって、透過原稿の読み取り領域が原稿台の一部に限定されているフラットベッド型画像読み取り装置で多種類の透過原稿シートを読み取ろうとすると、１つのフィルムホルダに装着できる透過原稿シートの種類が１つであるため、フィルムホルダを頻繁に交換しなければならず、原稿と定型シートホルダの脱着が煩雑である。
【０００５】
本発明は、原稿の読み取り領域が原稿台の一部に限定されている画像読み取り装置において複数種類の定型の原稿シートを原稿台の盤面に容易に位置決めできる定型シートホルダを提供することを目的とする。
本発明は、複数種類の定型の原稿シートを原稿台の盤面に容易に位置決めできる画像読み取り装置を提供することを目的とする。
【０００６】
【課題を解決するための手段】
請求項１に係る発明によると、概ねＬ字型に配置されている第一ガイド部及び第二ガイド部に当接する位置決め部を板状部材の対角に配置し、それぞれの位置決め部を基準にして互いに異なる形状の原稿を位置決めすることで１つの定型シートホルダを少なくとも２通りに使用することができる構成を採用する。すなわち、第一位置決め部と第二位置決め部とを板状部材の対角に設け、それぞれの位置決め部について、当該位置決め部が第一ガイド部及び第二ガイド部に当接しているとき読み取り領域に位置する開口部と、開口部に定型の透過原稿シートを保持する保持部とを設け、それぞれの開口部の形状を互いに異なるものとする。請求項１に係る発明によると、第一保持部で第一開口部に原稿シートを保持し第一位置決め部を第一ガイド部及び第二ガイド部に当接させて原稿を読み取る使い方と、第二保持部で第二開口部に原稿シートを保持し第二位置決め部を第一ガイド部及び第二ガイド部に当接させて原稿を読み取る使い方との２通りの使い方ができるため、複数種類の定型の原稿シートを原稿台の盤面に容易に位置決めできる。
【０００８】
請求項２に係る発明によると、撮像部は、リニアセンサと、主走査線を主走査線に垂直な方向に移動させる副走査駆動部とを有し、定型シートホルダは、第一開口部と副走査方向に並ぶ切り欠き又は開口部と、第二開口部と副走査方向に並ぶ切り欠き又は開口部を有する。請求項２に係る発明によると、これらの切り欠き又は開口部を形成することで、光学系のシェーディングを検出するための光路を確保することができる。
【０００９】
請求項３に係る発明によると、前記リニアセンサに前記透過原稿用光源に照射された原稿画像の主走査線上の透過光像を結像するレンズを有し、前記読み取り領域は主走査線の中央部軌跡の全部又は一部であるため、透過光像の歪みを低減することができる。
【００１０】
【発明の実施の形態】
以下、本発明の実施の形態を示す複数の実施例を図面に基づいて説明する。図３及び図４は、本発明の一実施例による画像読取装置としてのイメージスキャナ１０を示している。
【００１１】
イメージスキャナ１０は、概ね箱形の筐体１２の上面に原稿台１４を備えた所謂フラットベッド型であって、撮像素子２０と、撮像素子２０に原稿像を結像させる光学系３０と、撮像素子２０の出力信号を処理する処理部１００と、撮像素子２０を駆動する駆動部４０と、制御部１１０とを備えている。特許請求の範囲に記載された撮像部は撮像素子２０、処理部１００、制御部１１０等から構成される。
【００１２】
原稿台１４はガラス板等の透明板で形成され、その盤面上に原稿シートが載置される。原稿台１４の縁部には、図３に示すように高反射率均一反射面を有する白基準２８が設けられている。原稿台１４の周縁部には、図１、図３、図５及び図６に示すように原稿台１４の盤面に反射原稿シートを位置決めするための原稿ガイド１６が設けられている。原稿ガイド１６はロの字形又はＬ字形を呈し少なくとも互いに直交する２辺のガイド部１７を有する。
【００１３】
図５に示すように、筐体１２には透過原稿ユニット３８が設けられている。この透過原稿ユニット３８は、透過原稿用光源３７を有し、透過原稿の読み取り時には原稿台１４の上方位置に装着され、反射原稿の読取り時には取り外される。本実施例における透過原稿用光源３７は、図示しない蛍光ランプ等の管照明と図示しない反射板および拡散板とから構成される面光源であり、管照明からの光は拡散板により原稿台１４上の透過原稿読み取り領域１９にほぼ面均一に照射される。透過原稿用光源３７により照射された原稿台１４上の透過原稿の透過光像は光学系３０により撮像素子２０の受光部に結像される。尚、透過原稿用光源として、蛍光ランプが主走査線とともに副走査方向に移動するものを用いてもよい。
【００１４】
透過原稿読み取り領域１９は、図１、図５及び図６に示すように主走査線の中央部軌跡の一部とすることが望ましい。後述する集光レンズ３６は光軸近傍で光学像の歪みが少なく、周縁部で光学像の歪みが大きいことから、原稿台１４の主走査方向中央部に透過原稿読み取り領域１９を限定することでリニアセンサ２０に結像される透過光像の歪みを低減することができるからである。また、照射範囲を小さくできることから、透過原稿用光源３７を小型で簡素にできるからである。
【００１５】
特許請求の範囲に記載された定型シートホルダとしてのフィルムホルダ５０は、図１又は図６に示すように原稿台１４の盤面に載置される。フィルムホルダ５０はプラスチック等からなる薄板状部材であり複数の開口部が形成されている。
【００１６】
フィルムホルダ５０の輪郭は概ね長方形で点対称の形状である。フィルムホルダ５０の輪郭の大きさは、原稿ガイド１６の読み取り原点側（図１の右上側）のガイド部１７の２辺から透過原稿読み取り領域１９までを覆う大きさである。特許請求の範囲に記載された第一位置決め部は短手側の端面５８と長手側の端面６２で構成され、第二位置決め部は端面５８の向かいに位置する端面６８及び端面６２の向かいに位置する端面５２で構成される。すなわち、第一位置決め部５８、６２と第二位置決め部６８、５２とはそれぞれＬ字形を形成しており互いに対角の位置に形成されている。第一位置決め部５８、６２と第二位置決め部６８、５２の角部にはそれぞれ三角形のマーク６０、７０が形成されている。これらのマーク６０、７０は、原稿ガイド１６に形成しているマーク１８と対応させることでフィルムホルダ５０の位置決めの方法をユーザに案内するものである。
【００１７】
フィルムホルダ５０は、図１に示すように第一位置決め部５８、６２が原稿ガイド１６の読み取り原点側の２辺のガイド部１７に当接するとき読み取り領域１９になる位置に切り欠き５６と第一開口部５４を有する。
【００１８】
第一開口部５４の輪郭は３５ｍｍストリップフィルム４〜６コマ分の露光範囲を囲む大きさの長方形である。第一開口部５４の長手方向軸は副走査方向軸（図１の上下方向軸）に平行である。図１及び図７に示すように第一開口部５４の周囲には、特許請求の範囲に記載された第一保持部としての凹部５５と概ねコの字形の溝５３とが形成されている。３５ｍｍストリップフィルムは第一開口部５４をまたいで凹部５５に掛け渡される。３５ｍｍストリップフィルムの両長辺は溝５３に係止される。
【００１９】
切り欠き５６は、図１に示すように第一位置決め部５８、６２が原稿ガイド１６の読み取り原点側の２辺のガイド部１７に当接するとき、読み取り領域１９の一部を占める位置で副走査方向軸上に第一開口部５４とともに並んで形成され、原稿台１４が読み取り領域１９の一部において透過原稿用光源３７に直接照射されるように形成されている。切り欠き５６の副走査方向（図１の左右方向）の幅は第一開口部５４の副走査方向の幅より広い。以下、読み取り領域１９のうち透過原稿用光源３７に常に直接照射される領域をシェーディング検出領域という。
【００２０】
フィルムホルダ５０は、図６に示すように第二位置決め部６８、５２が原稿ガイド１６の読み取り原点側の２辺のガイド部１７に当接するとき読み取り領域１９になる位置に切り欠き６６と４つの第二開口部６４を有する。
【００２１】
第二開口部６４は３５ｍｍマウントフィルムの枠部が嵌合する大きさの正方形である。４つの第二開口部６４は第一開口部５４の長手方向軸と平行に整列している。第二開口部６４を形成しているロの字形の端面が特許請求の範囲に記載された第二保持部に相当する。第二開口部６４の周縁の一部に半円状の凹部６３が形成されている。この凹部６３はマウントフィルムの枠部に指先を引っかけやすくするものである。
【００２２】
切り欠き６６は、図６に示すように第二位置決め部６８、５２が原稿ガイド１６の読み取り原点側の２辺のガイド部１７に当接するとき、読み取り領域１９の一部を占める位置で副走査方向軸上に第二開口部６４とともに並んで形成され、マウントフィルムを読み取るときのシェーディング検出領域を確保している。尚、本実施例ではシェーディング領域を切り欠き５６、６６で確保しているが、方形の開口部で確保しても良い。
【００２３】
図３及び図４に示す撮像素子２０にはリニアセンサを用いるが、密着型２次元センサを用いてもよい。リニアセンサ２０は、複数の光電変換素子がキャリッジ２４の移動方向に対して垂直にほぼ直線状に並ぶ姿勢でキャリッジ２４に搭載されている。光電変換素子としてはフォトダイオード等が使用される。リニアセンサ２０の光電変換素子の配列方向が主走査方向を規定し、キャリッジ２４の移動方向が副走査方向である。リニアセンサ２０としては、可視光、赤外光、紫外光等、所定の波長領域の光を光電変換して得られる電荷を一定時間蓄積し、受光量に応じた電気信号をＣＣＤ（Charge Coupled Device）、ＭＯＳトランジスタスイッチ等を用いて出力するものが使用される。本実施例では、リニアセンサ２０としてレンズ縮小形リニアイメージセンサを用いるが、密着型リニアイメージセンサを用いてもよい。
【００２４】
カラー出力方式についてはオンチップ方式を採用し、受光部にカラーフィルタアレイをオンチップで形成したＲＧＢ各１ラインの３ライン又はＲＧＢ各２ラインの６ラインで構成されるリニアセンサ２０を用いる。尚、カラー出力方式についてダイクロイックミラー方式、光源切り換え方式、フィルタ切り換え方式のいずれを採用してもよい。また、モノクロ出力の画像読み取り装置についても当然に本発明を適用できる。
【００２５】
撮像素子２０に原稿像を結像させる光学系３０は、反射原稿用光源２２、透過原稿用光源３７、ミラー３４、集光レンズ３６等で構成されている。図１に破線で示すように、透過原稿用光源３７により照射された原稿台１４上の透過原稿シートＡの透過光像はミラー３４及び集光レンズ３６によりリニアセンサ２０の受光部に結像される。ミラー３４は、原稿からリニアセンサ２０に至る光路長を長くするためのものである。
【００２６】
リニアセンサ２０を駆動する駆動部４０は、主に電子的に作動する主走査駆動部１０２と主に機械的に作動する副走査駆動部２６とから構成される。
【００２７】
主走査駆動部１０２は、リニアセンサ２０を駆動するために必要なシフトパルス、転送パルス等の駆動パルスを生成し、リニアセンサ２０に出力する電子回路である。この主走査駆動部１０２は、例えば同期信号発生器、駆動用タイミングジェネレータ等から構成される。
【００２８】
主走査線を副走査方向に移動させる副走査駆動部２６は、キャリッジ２４、キャリッジ２４に係止されたベルト、このベルトを回転させる例えば制御の容易なステッピングモータ等を備える。キャリッジ２４は、シャフト等にスライド自在に係止し、原稿台１４の板面に対し平行な方向（図３においてａ方向）に往復移動自在に設けている。キャリッジ２４は例えばベルト駆動によりリニアセンサ２０と反射原稿用光源２２とを原稿台１４の盤面に対して平行に運搬する。
【００２９】
図４に示すように、処理部１００は、主走査駆動部１０２、アナログ信号処理回路１０４、Ａ／Ｄ変換器１０６、ディジタル信号処理部１０８から構成されている。本実施例では、処理部１００のうち主走査駆動部１０２、アナログ信号処理回路１０４およびＡ／Ｄ変換器１０６がキャリッジ２４に搭載され、ディジタル信号処理部１０８は筐体１２に固定されている。キャリッジ２４に搭載された回路と筐体１２に固定された回路との接続は図示しないフレキシブルフラットケーブル（ＦＦＣ）により実現されている。
【００３０】
アナログ信号処理回路１０４は、リニアセンサ２０から出力されたアナログの電気信号に対して増幅、雑音低減処理等のアナログ信号処理を施し、その処理された信号をＡ／Ｄ変換器１０６に出力する。
Ａ／Ｄ変換器１０６は、アナログ信号処理回路１０４から出力されたアナログの電気信号をディジタルの画像信号に変換し、その画像信号をディジタル信号処理部１０８に出力する。
【００３１】
ディジタル信号処理部１０８は、Ａ／Ｄ変換器１０６から出力された画像信号に対して各種の処理を施し、イメージスキャナ１０に接続される画像処理装置１５０へ転送する画像データを出力するものである。具体的には、ディジタル信号処理部１０８はシェーディング補正部１２０、ガンマ補正部１２２および欠陥画素補正部１２４を有している。なお、ディジタル信号処理部１０８で施す各種の処理は、制御部１１０または画像処理装置１５０で実行するコンピュータプログラムによる処理に置き換えることができる。
【００３２】
シェーディング補正部１２０は、リニアセンサ２０の画素ごとまたは数画素からなるブロックごとの感度のばらつきや、反射原稿用光源２２または透過原稿用光源３７の主走査方向における照射光量分布、集光レンズ３６の光学特性等に起因するシェーディングを補正する。透過原稿読み取り時のシェーディング補正は、原稿の読み取り前に透過原稿用光源３７から照射される光をシェーディング領域を通し透過原稿シートを透過させずにリニアセンサ２０に入射させることで得られる白基準データを用いて、その白基準データとメモリ（例えば後述するＲＯＭ１３４）にあらかじめ記憶されている黒基準データとを併用して行われる。
【００３３】
ガンマ補正部１２２は、画像処理装置１５０のガンマ特性に応じて画像信号のガンマ補正を行うものである。欠陥画素補正部１２４は、画素補間法により欠陥画素の信号を隣接画素の信号で補間して生成するものである。
【００３４】
制御部１１０はＣＰＵ１３０、ＲＡＭ１３２、ＲＯＭ１３４を有するマイクロコンピュータである。制御部１１０は、ＲＯＭ１３４に記録されたコンピュータプログラムを実行することでキャリッジ２４の移動（すなわち副走査駆動部２６の駆動）の制御、光源２２、３７の点滅および光量の制御、処理部１００の各要素の動作制御等、イメージスキャナ１０全体の制御を行う。
【００３５】
制御部１１０は、筐体１２に設けられているインターフェイス１４０を介してパーソナルコンピュータ等の画像処理装置１５０に接続可能とされている。制御部１１０は、それに接続された画像処理装置１５０からの読取指令信号に基づき、ＲＯＭ１３４に記憶されているコンピュータプログラムのうち原稿の読み取りに関するものを実行する。
【００３６】
以上、イメージスキャナ１０の構成を説明した。以下、イメージスキャナ１０の使用方法及び作動について説明する。なお、以下の説明では、イメージスキャナ１０が画像処理装置１５０に接続されているものとする。
【００３７】
ネガフィルム、ポジフィルム等の透過原稿シートに記録された透過原稿を読み取るときにはフィルムホルダ５０を使用する。フィルムホルダ５０は３５ｍｍストリップフィルム（以下ネガフィルムという。）及び３５ｍｍマウントフィルム（以下ポジフィルムという。）を保持し原稿台１４の盤面に位置決めすることができる。
【００３８】
（ネガフィルムの位置決め）
第一開口部５４の周縁に形成された溝５３に端部を係止してネガフィルムの露光部分を第一開口部５４に位置決めする。図１に示すように、第一位置決め部５８、６２を原稿ガイド１６の読み取り原点側の２辺のガイド部１７に当接させ、第一開口部５４を透過原稿読み取り領域１９に位置させる。これによりネガフィルムの露光部分は透過原稿読み取り領域１９に位置決めされる。
【００３９】
（ポジフィルムの位置決め）
図６に示すように、第二位置決め部６８、５２を原稿ガイド１６の読み取り原点側の２辺のガイド部１７に当接させ、４つの第二開口部６４を透過原稿読み取り領域１９に位置させる。第二開口部６４のそれぞれにポジフィルムをはめ込むと、ポジフィルムの枠部が原稿台１４の盤面及び第二開口部６４の内壁面によって保持され、これによりポジフィルムの露光部分は透過原稿読み取り領域１９に位置決めされる。
【００４０】
イメージスキャナ１０のユーザは上記のように透過原稿シートを原稿台１４の盤面上に位置決めした後、画像処理装置１５０への入力操作により、原稿の読み取り範囲および読み取り解像度を指定しイメージスキャナ１０に対して原稿の読み取りを指令する。その指令に応答してイメージスキャナ１０は以下のように作動する。
(1) 透過原稿用光源３７を点灯して原稿台１４の盤面上のシェーディング領域を照射し、白基準データを取得する。
(2) 透過原稿用光源３７を点灯させ、ネガフィルム又はポジフィルムの透過光像を光学系３０によりリニアセンサ２０の受光部に結像させる。
(3) 主走査駆動部１０２によりシフトパルス等の駆動パルスをリニアセンサ２０に所定のシーケンスで入力する。これにより、透過光像の濃淡に相関した量の電荷（信号電荷）がリニアセンサ２０に蓄積され、さらに蓄積された電荷がＣＣＤ等により電気信号として処理部１００（アナログ信号処理回路１０４）に出力される。
(4) リニアセンサ２０から出力された電気信号を処理部１００により処理し、その結果出力される画像データを画像処理装置１５０に転送する。
(5) キャリッジ２４を一定速度で移動させつつ透過原稿読み取り領域１９内の各主走査線について(2)〜(4)を繰り返し実行する。これにより、ネガフィルム又はポジフィルムに記録された透過原稿像の光学的濃淡情報を表す画像データが画像処理装置１５０に転送される。
【００４１】
本発明の一実施例によるイメージスキャナ１０によると、１つのフィルムホルダを２通りに使えるため、ネガフィルムとポジフィルムのそれぞれについてフィルムホルダを使い分ける必要がない。したがってイメージスキャナ１０によると、フィルムホルダを交換する煩雑さを低減することができる。すなわちイメージスキャナ１０によると、複数種類の定型の原稿シートを原稿台の盤面に容易に位置決めできる。また、イメージスキャナ１０によると、透過原稿の読み取り領域１９を主走査線の中央部軌跡に限定しているため、集光レンズ３６の周縁部での像の歪みが透過原稿の読み取り解像度に影響を与えない。また、透過原稿用光源３７を小型で簡素にすることができる。また、フィルムホルダ５０の２辺と原稿ガイド１６の２辺とを当接させて原稿台１４にフィルムホルダ５０を位置決めするため、正確な位置にフィルムを位置決めすることができる。
【００４２】
以上、本発明の一実施例について詳述したが、これはあくまでも例示であって、本発明はそのような実施例の記載によって何ら限定的に解釈されるものではない。例えば、上述の実施例ではフィルムホルダ５０に２つの位置決め部を対角に形成し、１つのフィルムホルダ５０で２通りの使い方ができる構成を採用しているが、概ね正方形の輪郭を有するフィルムホルダに４つの位置決め部を各角部に形成し、１つのフィルムホルダで４通りの使い方ができる構成を採用しても良い。
【図面の簡単な説明】
【図１】本発明の一実施例によるイメージスキャナのフィルムホルダを示す平面図である。
【図２】フィルムホルダの従来例を示す平面図である。
【図３】本発明の一実施例によるイメージスキャナを示す模式図である。
【図４】本発明の一実施例によるイメージスキャナを示すブロック図である。
【図５】本発明の一実施例によるイメージスキャナを示す斜視図である。
【図６】本発明の一実施例によるイメージスキャナのフィルムホルダを示す平面図である。
【図７】図１のVII―VII線断面図である。
【符号の説明】
１０    イメージスキャナ
１２    筐体
１４    原稿台
１６    原稿ガイド
１７    ガイド部
１８    マーク
１９    透過原稿読み取り領域
２０    リニアセンサ（撮像素子）
２２    反射原稿用光源
２４    キャリッジ
２８    白基準
３０    光学系
３４    ミラー
３６    集光レンズ
３７    透過原稿用光源
３８    透過原稿ユニット
４０    駆動部
５０    フィルムホルダ
５３    溝
５４    第一開口部
６４    第二開口部
１００    処理部
１１０    制御部
【図１】
0003770312.tif 000002
【図２】
0003770312.tif 000003
【図３】
0003770312.tif 000004
【図４】
0003770312.tif 000005
【図５】
0003770312.tif 000006
【図６】
0003770312.tif 000007
【図７】
0003770312.tif 000008